(57)【要約】【課題】１の昇降機構部を用いるだけでよく生産性及び操作性に優れると共に、用水路を開放することができるので水が滞りなく流れ安全性に優れ、第２の扉体を切り欠き開口部に配設しているので、上流側から下流側へ流れる水の流量を容易に且つ正確に調整できる水位調整水門を提供することを目的とする。【解決手段】本発明の水位調整水門１は、用水路に立設された枠体２と、枠体２の両側部に対向して各々形成された昇降溝部と、昇降溝部に遊嵌し枠体２の内部に昇降自在に配設された第１の扉体６と、第１の扉体に凹状に形成された切り欠き開口部７と、第１の扉体の用水路の上流側の面に摺動溝部を形成する摺動溝形成部８ａ，８ｂと、摺動溝部に遊嵌し切り欠き開口部７を開閉自在に配設された第２の扉体９と、第１の扉体６の上端部に固設された係合部１０ａ，１０ｂと、第２の扉体９を昇降させる昇降機構部１８と、を備えた構成を有している。【選択図】  図１
2004353407.tif 000002
【特許請求の範囲】
【請求項１】
農業用水路や工業用水路等の用水路に配設され前記用水路の流量の調整、前記用水路の上流側の水位の調整、前記用水路の堰き止め及び開放等を行う水位調整水門であって、
前記用水路の両側壁に沿って立設された枠体と、
前記枠体の両側部の内側に対向して各々形成された昇降溝部と、
前記昇降溝部に両側端部が摺動自在に遊嵌し前記枠体の内部に昇降自在に配設された第１の扉体と、
前記第１の扉体の上端に凹状に切り欠き形成された切り欠き開口部と、
前記第１の扉体の前記用水路の上流側の面に上端部から下方へ前記切り欠き開口部の両側部に沿って各々連設され内側に開口した摺動溝部を形成する摺動溝形成部と、
前記摺動溝部に両側端部が摺動自在に遊嵌し前記切り欠き開口部を開閉自在に配設された第２の扉体と、
前記第１の扉体の上端部に固設され前記切り欠き開口部の上部の両縁部に水平方向に各々向き合って突設され前記第２の扉体の上端部が係合する係合部と、
前記枠体の上部に配設され前記第２の扉体を昇降させる昇降機構部と、
を備えていることを特徴とする水位調整水門。
【請求項２】
前記第１の扉体に形成された係止部と、前記第２の扉体に形成され前記係止部が脱着自在に係止される被係止部と、を備えていることを特徴とする請求項１に記載の水位調整水門。
【請求項３】
前記摺動溝形成部の下端部側の前記第１の扉体の上流側の面に突設された下部ストッパ部を備えていることを特徴とする請求項１又は２に記載の水位調整水門。
【請求項４】
前記第２の扉体の前記第１の扉体側の面の下端部及び両端部に沿って配設された水密圧接部を備えていることを特徴とする請求項１乃至３の内いずれか１項に記載の水位調整水門。
【発明の詳細な説明】
【０００１】
【発明の属する技術分野】
本発明は、農業用水路や工業用水路等の用水路に配設され前記用水路の上流側の水位の調整、前記用水路の堰き止め及び開放等、或いは灌漑用貯水池や養殖用池等の出口側に設置され池の水位調整等に用いられる水位調整水門に関するものである。
【０００２】
【従来の技術】
従来、農業用水路等の用水路の上流側に連通する暗渠等を介して接続された水田等の灌漑や灌漑用貯水池や養殖用池等の出口側に設置され池の水位調整等を行うために水位調整水門が用いられている。このような水位調整水門としては、用水路の上流側から下流側へ向かって高さが順次低くなるように複数の仕切り板を所定の間隔で立設した段差式のものや、用水路に配設される枠体と、該枠体内に昇降自在に配設された親扉と、該親扉の上端部に切り欠き形成された開口部に上方に摺動自在で開閉自在に配設された子扉と、前記親扉を枠体内において手動又はモータ等により自動で昇降させる昇降機構部を有するもの等がある。
しかしながら、上述したような段差式の水位調整水門では、所望の水位となるように仕切り板を一々取り外したり取り付けたりする必要があり作業性に欠け、特に老人や女性等には重労働であるという問題があった。また、親扉の上端部に上方に摺動自在な子扉を有するものでは、親扉の昇降により用水路を開閉し通水又は堰き止めることができると共に、親扉を降ろした状態で子扉を開閉することにより、上流側の水位をある程度細かく調整することができるが、子扉は親扉の開口部の両側部の内壁に設けられた摺動溝に上方へ摺動自在に嵌合されているだけなので、該開口部の最下端部のレベルは変化せず、微調整を行うことができないと共に、作業者は子扉を開いた後、所望の水位になるまで監視して所望の水位に達すると子扉を閉めるといった操作を行う必要があり、作業に時間を取られ作業性に欠けるという問題があった。
このような問題を解決するために、特許文献１には「水路に昇降自在に配設された昇降扉と、この昇降扉上に起伏自在に設置された回転扉と、前記昇降扉を昇降させる昇降手段と、前記回転扉を引上げる引上げ手段とを備え、前記引上げ手段が、前記回転扉に結合された紐状体と、この回転扉の上方に設置されてこの紐状体を巻き上げる巻き上げ手段とから成り、前記昇降扉の上昇にともなうこの紐状体の緩みを回避するべくこの紐状体にテンションを付与するテンション付与手段を設けたことを特徴とする２段ゲート装置」が開示されている。
また、特許文献２には、「水路の放流端に取り付けられた枠状の戸当りと、この戸当りの前側に前後方向に隣接して配置された複数段の扉体と、これら扉体それぞれの幅方向両端部の前面に対応して前記戸当りに取り付けられ各扉体の昇降を案内する案内板とを備え、最前段の扉体を吊持して昇降させる開閉装置が設けられ、前記開閉装置による吊り上げで前記最前段の扉体が上限位置に到達する上昇途中で前段の扉体に下面を係合させて、後段の扉体を追従して上昇させる係止部が複数段の扉体における最前段の扉体以外の扉体に設けられた多段式可動堰」が開示されている。
【０００３】
【特許文献１】
特開平６−４１９３７号公報
【特許文献２】
特開２００２−２２７１７０号公報
【０００４】
【発明が解決しようとする課題】
しかしながら上記従来の技術では、以下のような課題を有していた。
（１）特許文献１の「２段ゲート装置」では、昇降扉と回転扉を各々別々の駆動装置により昇降又は起伏させているので、駆動源が２つ必要になり装置が複雑化し生産性及び操作性に欠けるという課題を有していた。
（２）特許文献２の「多段式可動堰」では、枠状の戸当りに複数段の扉体を前後方向に隣接して配置すると共に戸当りに各扉体の昇降を案内する案内板を設けているので、戸当りに少なくとも２以上の案内板を設ける必要があり戸当りの前後方向に装置が大型しコンパクト性に欠けるという課題を有していた。
（３）特許文献２の「多段式可動堰」では、前段及び後段の扉体を下限位置に配置した全開時において扉体により用水路の底部側が堰き止められているため、増水時等に水の流れが滞り床下浸水等の水害を引き起こす可能性があり安全性に欠けるという課題を有していた。
（４）特許文献２の「多段式可動堰」では、前後方向に隣接して配置された複数段の扉体の内、前段の扉体の上端部の高さを調整することにより上流側から下流側へ越流する水の流量を調整しているが、前段の扉体の上端部の幅が広いため前段の扉体を昇降させることによる流量の調整が難しく、特に少ない流量における調整が困難であり使用性に欠けるという課題を有していた。
【０００５】
本発明は上記従来の課題を解決するもので、第２の扉体の昇降させることにより連動して第１の扉体を昇降させることができるので、昇降のために１の昇降機構部を用いるだけでよく生産性及び操作性に優れると共に、用水路を全開して開放することができるので増水時においても水が滞りなく流れ安全性に優れ、第２の扉体を第１の扉体に設けた凹状の切り欠き開口部に配設しているので、上流側から下流側へ流れる水の流量を容易に且つ正確に調整することができる水位調整水門を提供することを目的とする。
【０００６】
【課題を解決するための手段】
上記従来の課題を解決するために本発明は以下の構成を有している。
本発明の請求項１に記載の水位調整水門は、農業用水路や工業用水路等の用水路に配設され前記用水路の流量の調整、前記用水路の上流側の水位の調整、前記用水路の堰き止め及び開放等を行う水位調整水門であって、前記用水路の両側壁に沿って立設された枠体と、前記枠体の両側部の内側に対向して各々形成された昇降溝部と、前記昇降溝部に両側端部が摺動自在に遊嵌し前記枠体の内部に昇降自在に配設された第１の扉体と、前記第１の扉体の上端に凹状に切り欠き形成された切り欠き開口部と、前記第１の扉体の前記用水路の上流側の面に上端部から下方へ前記切り欠き開口部の両側部に沿って各々連設され内側に開口した摺動溝部を形成する摺動溝形成部と、前記摺動溝部に両側端部が摺動自在に遊嵌し前記切り欠き開口部を開閉自在に配設された第２の扉体と、前記第１の扉体の上端部に固設され前記切り欠き開口部の上部の両縁部に水平方向に各々向き合って突設され前記第２の扉体の上端部が係合する係合部と、前記枠体の上部に配設され前記第２の扉体を昇降させる昇降機構部と、を備えた構成を有している。
この構成により、以下のような作用を有する。
（１）第１の扉体を最下部まで下降させた状態で昇降機構部により第２の扉体を下降させることにより、用水路の水位調整水門の上流側の水が下降した第２の扉体の上端部から越流し下流側へ流れ込むので、上流側の水位を第２の扉体の上端部の高さに調整することができる。用水路の水位調整水門の上流側は暗渠を介して水田に連通しているので、用水路の上流側の水位を調整することにより水田の水位を用水路と同じレベルに調整することができる。
（２）第１の扉体を最下部まで下降させた状態で昇降機構部により第２の扉体を上昇させると共に、第２の扉体の上端部に第１の扉体の上端部に固定され切り欠き開口部の上端部に水平方向に向き合って突設された係合部が係合して、第２の扉体と共に第１の扉体を上昇させることができ、用水路を大きく開放することができる。また、第２の扉体の昇降させることにより連動して第１の扉体を昇降させることができるので、昇降のために１の昇降機構部を用いるだけでよく生産性及び操作性に優れる。
（３）切り欠き開口部の大きさを適宜設定すると共に第２の扉体の上端部の高さを可変させることにより、用水路の上流側から下流側へ切り欠き開口部の第２の扉体の上端部から越流する用水の流量を調整することができる。特に第１の扉体の上端部に用水路の幅より幅の小さい切り欠き開口部が形成され、切り欠き開口部から上流側の水が下流側へ越流するため、少ない流量において流量を正確に且つ微調整することができる。
（４）摺動溝部を形成する摺動溝形成部が第１の扉体の用水路の上流側の面に沿って配設されているので、第２の扉体が摺動溝部に遊嵌され第１の扉体の用水路の上流側の面に配設され、上流側から下流側への水の流れ又は水圧により第２の扉体を第１の扉体に圧接させることができ、第２の扉体と第１の扉体との間隙を水密にすることができる。
【０００７】
ここで、枠体としては形鋼等の鋼材等により形成され、枠体の両側部が各々用水路の両側壁に沿って配設される矩形状のもの等が用いられる。枠体の底部は必ずしも設ける必要はなく、用水路を造設する際に鋼材等を用水路の側壁や底壁に埋め込んで立設し枠体の側部としてもよい。
第１及び第２の扉体としては、金属製等の板状体や鋼材等からなるフレームに金属製板状体を溶着したもの等が用いられる。また、用水路の水の水圧がかかるため補強のためのリブ等を設けてもよい。
第１の扉体の上端部に形成される切り欠き開口部としては、両側部に沿って直線状の摺動溝形成部が形成されるため矩形状等に形成されることが好ましい。切り欠き開口部が矩形状に形成された場合は、その幅を用水路の幅より小さく形成すれば、用水路の上流側から切り欠き開口部を介して下流側へ越流する水の流量を少量にすることができ、さらに第２の扉体を昇降させることで少ない流量において流量を正確に且つ微調整することができる。切り欠き開口部の形成位置は、第１の扉体の上端中央部でもよく上端側部でもよい。
昇降溝部には第１の扉体の両側端部が遊嵌されるため、第１の扉体と枠体の両側部との間隙を覆う又は埋めるためのゴム材等からなる水密部を設けることが好ましい。なお、昇降溝部と第１の扉体との摺接部分にゴム材や合成樹脂材等の水密部を設けると摩擦により第１の扉体が円滑に摺動し難いため、第１の扉体の両側部の水密部としては、第１の扉体の表面から枠体の側部に沿って湾曲して第１の扉体と摺動溝部との間隙を覆うように配設される帯状のゴム材等を用いることが好ましい。また、第１の扉体の下端部に沿って配設され枠体の底部に当接するゴム材や合成樹脂材等からなる水密部を設けることが好ましい。
摺動溝部を形成する摺動溝形成部としては、断面略Ｌ字、Ｕ字、コ字形状等の金属製等の長尺部材が用いられる。摺動溝形成部は第１の扉体に螺着や溶着により固定してもよく、或いは一体的に設けてもよい。また、摺動溝部と第２の扉体との摺接部分にゴム材等からなる水密部を設けてもよい。
【０００８】
昇降機構部としては、ハンドル部の回転により回転するピニオンと、ピニオンに噛み合うと共に第２の扉体の上端部に接続された長尺のラック又はピンラック等を有するもの、ハンドル部の回転により回転するナットと、ナットに挿通し螺合する螺螺子が形成されると共に第２の扉体の上端部に接続されたロッド状部材を有するもの、或いは第２の扉体の上端部に一端部が接続されたワイヤの他端部を巻き上げる巻き上げプーリを有するもの、可動する梃子又はレバーとそれと第２の扉体とを接続するリンク等を有するもの等が用いられる。また、昇降機構部は第２の扉体の昇降を手動で行うためのハンドル部、又は自動で行うためのモータ等の駆動部を有し、ハンドル部や駆動部の回転をピニオンや巻き上げプーリに伝達するためのウォームギア及びウォームホイール等を有する回転伝達部等を有してもよい。
なお、回転伝達部にウォームギア及びウォームホイールを設けることにより、又はピニオンや巻き上げプーリの回転を止めるためのストッパを設けることにより、或いはハンドル部を枠体に固定するために鎖等をハンドル部に巻き付けることにより、第１、第２の扉体を所定の位置で確実に停止させることができ、落下を防止することができる。また、枠体の側部と第１の扉体の各々に、第１の扉体が所定の高さに位置する際に連通する孔を穿設し、該孔にピン等を挿入して第１の扉体を所定の位置で固定して落下を防止することもできる。
扉体の昇降を行わない場合は、ハンドル部に枠体に固定するための鎖等を巻き付けて、さらに鎖に施錠しておくことにより、他人が勝手にハンドル部を操作して扉体の昇降を行うことを防ぐことができる。
【０００９】
本発明の請求項２に記載の発明は、請求項１に記載の水位調整水門であって、前記第１の扉体に形成された係止部と、前記第２の扉体に形成され前記係止部が脱着自在に係止される被係止部と、を備えた構成を有している。
この構成によって、請求項１の作用に加え、以下のような作用を有する。
（１）第１の扉体を最下部まで下降させた状態で昇降機構部により第２の扉体を上昇させると共に、第２の扉体の上端部に第１の扉体の上端部に固定された係合部を係合させ、第２の扉体と共に第１の扉体を上昇させる場合に、係止部を被係止部に係止することにより、第１の扉体は第２の扉体に強固に固定されるため、第１の扉体を上昇又は下降させる際に、第１の扉体と第２の扉体を一体的に上昇又は下降させることができ、例えば第１の扉体が昇降溝部につまったゴミ等により下降途中で引っ掛かって第２の扉体のみが下降することがなく確実に開閉動作を行うことができ、また、ゴミ等によるつまりがなくなって第１の扉体が急に落下したりすることがないため安全性に優れる。
（２）第１の扉体を最下部まで下降させると、係止部が被係止部から外れるようにした場合は、第１の扉体を最下部まで下降させた状態、即ち用水路を閉止した状態で、第２の扉体のみを下降又は上昇させ切り欠き開口部を開閉することができる。
【００１０】
ここで、係止部としては第１の扉体の第２の扉体側に形成された凸状部又は凹状部、或いは爪部等が用いられ、被係止部としては第２の扉体の下端部や側部に形成され係止部が係止される又は嵌合する凹状部又は凸状部、或いは爪部等が用いられる。また、係止部としてピン、被係止部として該ピンが挿入される孔等を用いることもできる。
係止部と被係止部に脱着自在に係止するための脱着手段としては、一端部が第１の扉体に軸着されたレバー等の他端部に係止部を設け、該レバーを回転させて係止部を被係止部に脱着自在に係止するものや、係止部をレール等に摺動自在に配設し、被被係止部に対して進退自在に配設したもの等が用いられる。なお、このとき、係止部を被係止部に向かって付勢するコイルばね等の弾性部と、第１の扉体の下端部から下方へ突出した突出部と、突出部と被係止部とを連結するＬ字状のクランクや梃子、レバー等のリンク機構等と、を設けることもできる。これにより、第１の扉体が最下部まで下降すると突出部が枠体の底部に当接して第１の扉体の内部に納置され、これにリンク機構を介して連動して係止部が被係止部から外れる。また、第１の扉体を上昇させ第１の扉体が枠体の底部から離れると、突出部が第１の扉体の底部から突出すると共に、連動して弾性部により係止部が被係止部に向かって付勢され係止される。
【００１１】
本発明の請求項３に記載の発明は、請求項１又は２に記載の水位調整水門であって、前記摺動溝形成部の下端部側の前記第１の扉体の上流側の面に突設された下部ストッパ部を備えた構成を有している。
この構成により、請求項１又は２の作用に加え、以下のような作用を有する。
（１）摺動溝形成部の下端部側の第１の扉体の上流側の面に下部ストッパ部が突設されているので、第２の扉体が第１の扉体の用水路の上流側の面に沿って下降し切り欠き開口部を開放した状態で第２の扉体の下端部が下部ストッパ部に当接し、第２の扉体がそれ以上下方へ下降することを防ぐことができる。
【００１２】
本発明の請求項４に記載の発明は、請求項１乃至３の内いずれか１項に記載の水位調整水門であって、前記第２の扉体の前記第１の扉体側の面の下端部及び両端部に沿って配設された水密圧接部を備えた構成を有している。
この構成により、請求項１乃至３の内いずれか１項の作用に加え、以下のような作用を有する。
（１）第２の扉体が第１の扉体の用水路の上流側の面に配設されると共に、第２の扉体の第１の扉体側の下端部及び両端部に水密圧接部が配設されているので、上流側から下流側への用水の流れにより第２の扉体を第１の扉体に圧接させ、水密圧接部を第１の扉体に圧接させることができ、第２の扉体と第１の扉体との間隙を確実に水密にすることができる。
【００１３】
ここで、水密圧接部としては、ゴム材やプラスチック等の合成樹脂材等が用いられる。また、ゴム材として内部に長手方向に孔を形成した長尺のゴム材等を用いてもよい。これにより、ゴム材の柔軟性を高め、第１の扉体に対する摩擦を低減させることができる。
【００１４】
【発明の実施の形態】
以下、本発明の一実施の形態について、図面を参照しながら説明する。
（実施の形態１）
図１は本実施の形態１における水位調整水門の要部正面図であり、図２は図１のＡ−Ａ線の要部矢視断面図であり、図３は図１のＢ−Ｂ線の要部矢視断面図である。
図中、１は本実施の形態１における水位調整水門、２は農業用水路や工業用水路等の用水路に配設される枠体、３は用水路の底部に沿って配設される枠体２の枠体底部、４ａ，４ｂは枠体底部３の両端部から用水路の両側壁に沿って各々立設された枠体側部、５は枠体側部４ａ，４ｂの上端部に横架された枠体上部、６は枠体側部４ａ，４ｂの各々の内側に対向して形成された後述の昇降溝部に両側部が遊嵌され昇降溝部に沿って摺動し枠体２内に昇降自在に配設された第１の扉体、６ａは第１の扉体６の用水路の上流側に向けて配設される上流側面、７は第１の扉体６の上端中央部に凹状に切り欠き形成された矩形状の切り欠き開口部、８ａ，８ｂは切り欠き開口部７の両側縁部に沿って第１の扉体６の上流側面６ａに固設された断面略Ｌ字形状の長尺部材からなる摺動溝形成部、９は摺動溝形成部８ａ，８ｂにより形成された後述の摺動溝部に両側部が遊嵌され摺動溝部に沿って摺動し切り欠き開口部７に開閉自在に配設された第２の扉体である。摺動溝形成部８ａ，８ｂは上側略半分が切り欠き開口部７の両側縁部に沿って配設され下側略半分はその下方に直線状に延設されている。これにより、摺動溝形成部８ａ，８ｂにより形成された後述の摺動溝部に遊嵌された第２の扉体９は、切り欠き開口部７を覆い閉止する最上位置と、切り欠き開口部７を開放する最下位置との間を昇降自在に配設されている。なお、図１乃至図３は第２の扉体９が切り欠き開口部７を覆った最上位置にある状態を示している。
【００１５】
１０ａ，１０ｂは第１の扉体６の上端部に固設され切り欠き開口部７の上部の両端部に水平方向に各々向き合って突設された係合部、１１は第１の扉体６の上流側面６ａに突設され第２の扉体９の下端部が最下位置において当接する下部ストッパ部、１２ａ，１２ｂは第１の扉体６の両側部の上流側面６ａに配設され第１の扉体６と枠体側部４ａ，４ｂとの間隙を塞いで水密にするための板状ゴム材等からなる側部水密部、１３ａ，１３ｂは側部水密部１２ａ，１２ｂを第１の扉体６に固定するための側部押さえ板、１４は後述の底部水密部を第１の扉体６に固定するための底部押さえ板、１５は第２の扉体９の上端部から水平方向に突設され第２の扉体９が最上位置にある場合に係合部１０ａ，１０ｂに係合する板状の係合受け部、１６は枠体上部５上に配設された後述の昇降機構部から下方へ垂下された長尺のピンラックからなる昇降接続部、１７は昇降接続部１６の下端部と第２の扉体９の上端部とを接続する扉体接続部である。扉体接続部１７は、第２の扉体９の上端部に用水路の上流側から下流側へ向けて拡がる断面略Ｖ字形状に形成された板状部材により形成されている。これにより、用水路の上流側の用水が第２の扉体９の上端から越流する際に、断面略Ｖ字形状の扉体接続部１７の受ける抵抗を少なくしスムーズに水を流すことができる。
【００１６】
１８は昇降接続部１６のピンラックに噛み合うピニオンを回転させ昇降接続部１６を介して第２の扉体９を昇降させる昇降機構部、１９は昇降機構部１８に接続されスプロケット２０，２１やチェーン２２、或いは昇降機構部１８に内蔵されたギア等を介して昇降機構部１８のピニオンを回転させるハンドル部である。ここで、昇降機構部１８はハンドル部１９の回転をピニオンに伝達するためのウォームギア及びウォームホイール等を有する回転伝達部、又はピニオン２５の回転を止めるストッパを有することが好ましい。これにより、第２の扉体９を所定の高さまで下降又は上昇させてハンドル部１９の回転操作を停止することにより、第２の扉体９を所定の高さで停止させることができる。また、回転伝達部のギア比を調整することにより、第１の扉体６や第２の扉体９の重量が大きい場合であっても、小さい力で容易に昇降させることができる。
【００１７】
図２において、２３は第１の扉体６の下端部に沿って配設され第１の扉体６と枠体底部３との間隙を塞いで水密にするための板状ゴム材等からなる底部水密部、２４は第２の扉体９の第１の扉体６側の下端部に沿って配設され第２の扉体９と第１の扉体６との間隙を用水路の水の水圧により塞いで水密にするためのゴム材等からなる水密圧接部、２４ａは水密圧接部２４を第２の扉体９の背面側下端部に固定するための押さえ板、２４ｂは水密圧接部２４に形成された孔、２５は昇降機構部１８に内蔵され昇降接続部１６のピンラックに噛み合うピニオンである。
図３において、２６ａ，２６ｂは枠体側部４ａ，４ｂの内側に形成された昇降溝部、２７ａ，２７ｂは摺動溝形成部８ａ，８ｂにより形成された摺動溝部、２８は第２の扉体９の第１の扉体６側の両側部に沿って配設され第２の扉体９と第１の扉体６との間隙を用水路の水の水圧により塞いで水密にするためのゴム材等からなる水密圧接部、２８ａは水密圧接部２８を第２の扉体９の背面側両側部に固定するための押さえ板、２８ｂは水密圧接部２８に形成された孔である。摺動溝部２７ａ，２７ｂは断面略Ｌ字形状の摺動溝形成部８ａ，８ｂと第１の扉体６の上流側面６ａとにより囲まれて形成されている。
図２に示す水密圧接部２４及び図３に示す水密圧接部２８は、その長手方向に内部に孔２４ｂ，２８ｂを有する長尺状のゴム材等により形成され、第２の扉体９の第１の扉体６側の下端部及び両端部に押さえ板２４ａ，２８ａにより第２の扉体９に狭まれビス及びナットにより螺着固定されている。
また、図３に示すように、板状ゴム材等により形成されている側部水密部１２ａ，１２ｂは、幅方向の一側部が側部押さえ板１３ａ，１３ｂに挟まれボルトナットにより螺着され第１の扉体６の上流側面６ａの両側部に沿って固定され、反対側の側部が枠体側部４ａ，４ｂの内側に沿うように湾曲して第１の扉体６と枠体側部４ａ，４ｂとの間隙を覆うように配設されている。
【００１８】
以上のように構成された本実施の形態１における水位調整水門について、以下その動作を図を用いて説明する。
図４（ａ）は本実施の形態１における水位調整水門の第２の扉体を下降させる途中の状態を示す要部正面図であり、図４（ｂ）はその要部断面図であり、図５（ａ）は本実施の形態１における水位調整水門の第２の扉体を最下位置まで下降させた状態を示す要部正面図であり、図５（ｂ）はその要部断面図であり、図６は本実施の形態１における水位調整水門の使用状態を示す使用状態図である。なお、図１乃至図３において説明したものは同様の符号を付けて説明を省略する。
図６において、Ｘは水位調整水門１が設置される用水路、Ｙは用水路Ｘの水位調整水門１の上流側（図６の手前側）から水田Ｚに連通する暗渠である。なお、図６は第２の扉体９を最上位置と最下位置の中間位置で停止させた状態を示す。
まず、図１乃至３に示すように第１の扉体６を最下部まで下降させた状態でハンドル部１９を第２の扉体９を下降させる方向に回転操作し、スプロケット２０、チェーン２２、スプロケット２１や、昇降機構部１８に内蔵されたウォームギアやウォームホイール等の回転伝達部を介してピニオン２５を回転させる。これにより、ピニオン２５に噛み合うピンラックからなる昇降接続部１６が下降し、図４（ａ）及び図４（ｂ）に示すように、扉体接続部１７を介して接続された第２の扉体９が下降する。これにより、用水路Ｘの水位調整水門１の上流側（図４（ａ）の手前側）の用水は切り欠き開口部７の開口部分から越流し下流側へ流れ込み、上流側の水位は第２の扉体９の上端部の高さに調整される。図６に示すように用水路Ｘの水位調整水門１の上流側は暗渠Ｙを介して水田Ｚに連通しているので、用水路Ｘの水位の下降に伴って水田Ｚの水位が下降し、用水路Ｘの水位と同じレベルに調整される。第２の扉体９を所定の高さまで下降させてハンドル部１９の回転操作を停止させることにより、第２の扉体９を所定の高さで停止させることができ、用水路Ｘの上流側の水位を所望のレベルに調整し維持することができ、水田Ｚの水位を所望のレベルに調整し維持することができる。さらにハンドル部１９を回転操作すると、図５（ａ）及び図５（ｂ）に示すように、第２の扉体９の下端部が下部ストッパ部１１に当接するまで、第２の扉体９を下降させることができる。
【００１９】
次に、第１の扉体６を上昇させ用水路を全開する動作について、図を用いて説明する。
図７は第１の扉体を上昇させ用水路を全開した状態を示す要部正面図である。なお、図１乃至図６において説明したものは同様の符号を付けて説明を省略する。
まず、図１乃至３に示すように第１の扉体６を最下部まで下降させた状態でハンドル部１９を第２の扉体９を上昇させる方向に回転操作し、スプロケット２０、チェーン２２、スプロケット２１や、昇降機構部１８に内蔵されたウォームギアやウォームホイール等を介してピニオン２５を回転させる。これにより、ピニオン２５に噛み合うピンラックからなる昇降接続部１６が上昇し、扉体接続部１７を介して第２の扉体９が上昇する。このとき、第２の扉体９の上端部に配設された係合受け部１５に、第１の扉体６の上端部に固定された係合部１０ａ，１０ｂが係合しているので、第２の扉体９の上昇に伴って第１の扉体６が上昇する。さらにハンドル部１９を回転操作すると、図７に示すように第２の扉体９と第１の扉体６が上昇して用水路Ｘが開放される。
【００２０】
以上のように実施の形態１の水位調整水門は構成されているので、以下のような作用を有する。
（１）第１の扉体６を最下部まで下降させた状態でハンドル部１９を第２の扉体９を下降させる方向に回転操作することにより、ピニオン２５に噛み合うピンラックからなる昇降接続部１６を下降させ、扉体接続部１７を介して接続された第２の扉体９を下降させ、これにより、用水路Ｘの水位調整水門１の上流側の用水は切り欠き開口部７の開口部分から下流側へ流れるので、上流側の水位を第２の扉体９の上端部の高さに調整することができる。
（２）用水路Ｘの水位調整水門１の上流側は暗渠Ｙを介して水田Ｚに連通しているので、用水路Ｘの水位を調整することにより水田Ｚの水位を用水路Ｘと同じレベルに調整することができる。
（３）第１の扉体６を最下部まで下降させた状態でハンドル部１９を第２の扉体９を上昇させる方向に回転操作することにより、ピニオン２５を回転させ、ピニオン２５に噛み合うピンラックからなる昇降接続部１６を上昇させ、扉体接続部１７を介して第２の扉体９を上昇させることができ、このとき、第２の扉体９の上端部に配設された係合受け部１５に、第１の扉体６の上端部に固定された係合部１０ａ，１０ｂが係合しているので、第２の扉体９と共に第１の扉体６を上昇させることができ、用水路Ｘを大きく開放することができる。
（４）切り欠き開口部７の幅が用水路Ｘの幅より小さく形成されると共に、第２の扉体９の上端部の高さを可変させることにより、用水路Ｘの上流側から下流側へ切り欠き開口部７の第２の扉体９の上端部から越流する水の流量を調整することができる。特に第１の扉体６の上端部に用水路Ｘの幅より幅の狭い切り欠き開口部７が形成されているので、上流側から切り欠き開口部７を介して下流側へ越流する水の流量を少なくすることができ、さらに少ない流量において流量を正確に且つ微調整することができる。
（５）第２の扉体９の第１の扉体６側の下端部及び両端部に水密圧接部２４及び水密圧接部２８が配設されているので、水位調整水門１の上流側に貯水された水の背圧により第２の扉体９と第１の扉体６との間隙を塞いで水密にすることができ、用水路の用水が上流側から下流側へ漏れ難く正確な調整を行うことができる。
（６）側部水密部１２ａ，１２ｂが第１の扉体６の上流側面６ａの両側部に沿って配設され、底部水密部２３が第１の扉体６の下端部に沿って配設されているので、第１の扉体６と枠体側部４ａ，４ｂ及び枠体底部３との間隙を塞いで水密にし、用水路の用水が上流側から下流側へ漏れ難く正確な調整を行うことができる。
（７）側部水密部１２ａ，１２ｂが第１の扉体６の上流側面６ａから枠体側部４ａ，４ｂの内側に沿うように湾曲して第１の扉体６と枠体側部４ａ，４ｂとの間隙を覆うように配設されているので、第１の扉体６が昇降溝部２６ａ，２６ｂに遊びを有して嵌合されている場合であっても、第１の扉体６のがたつき等に追随して確実に間隙を塞ぐことができ水密にすることができる。
（８）水密圧接部２４及び水密圧接部２８に孔２４ｂ及び孔２８ｂが形成されているので、水密圧接部２４，２８の柔軟性を高め、第１の扉体６との摩擦を低減させることができる。
（９）摺動溝形成部８ａ，８ｂの下端部側の第１の扉体６の上流側面６ａに下部ストッパ部１１が突設されているので、第２の扉体９が第１の扉体６の上流側面６ａに沿って下降し切り欠き開口部７を開放した状態で第２の扉体９の下端部が下部ストッパ部１１に当接し、第２の扉体９がそれ以上下方へ下降することを防ぐことができる。
【００２１】
（実施の形態２）
図８（ａ）は第１の扉体を最下部まで下降させた状態で第２の扉体が最上位置と最下位置の中間位置にある状態を示す概略側面図であり、図８（ｂ）は第１の扉体を最下部まで下降させた状態で第２の扉体が最上位置にある状態を示す概略側面図であり、図８（ｃ）は第１の扉体を第２の扉体と共に上昇させた状態を示す概略側面図である。
図８において、図１乃至７において説明したものと同様のものは同一の符号を付けて説明を省略する。
３０は本実施の形態２における水位調整水門、３０ａは水位調整水門３０の第１の扉体６に内蔵され第１の扉体６の昇降時に第１の扉体６を第２の扉体９に固定するための扉体固定機構部、３１は第２の扉体９の底部に第１の扉体６側に突出して形設された被係止部の一例である凸状部、３２は第１の扉体６の内部に配設され下端部が第１の扉体６に回動自在に軸着されたストッパレバー部、３３はストッパレバー部３２の上端部の凸状部３１側に形成されストッパレバー部３２の回動により凸状部３１に対して嵌脱自在に配設された係止部の一例である凹状部、３４はストッパレバー部３２に接続され凹状部３３を凸状部３１に向かって付勢する弾性部であるコイルばね、３５はストッパレバー部３２の軸着された下端部に略直角に連設されたレバー連設部、３６はレバー連設部３５の先端部に下方へ屈曲して形設されストッパレバー部３２及びレバー連設部３５の回動に連動して第１の扉体６の下端部から下方へ出入する突出部である。
凹状部３３は、本実施の形態１においては、凸状部３１の先端の上部側に当接する面と、下部側に当接する面とを有する凹状に形成されているが、これに限られるものではなく、下部側に当接する面のみを有する鉤状のものであってもよい。これにより、第２の扉体９を下降させる際に、凸状部３１の下部側で鉤状部分を押し下げ、第１の扉体６を押し下げることができる。
【００２２】
以上のように構成された本実施の形態２における水位調整水門３０について、以下その動作を図８を用いて説明する。
図８（ａ）に示すように、第１の扉体６を最下部まで下降させた状態で第２の扉体を上昇させる。このとき、第１の扉体６の下端部は枠体底部３に当接しているので、突出部３６は枠体底部３により第１の扉体６の内部へ納置されている。さらに第２の扉体９を上昇させると、図８（ｂ）に示すように、第２の扉体９の上端部に配設された係合受け部１５に第１の扉体６の上端部に固定された係合部１０ａが係合する。さらに第２の扉体９を上昇させると、係合部１０ａが係合受け部１５に係合しているので、第２の扉体９の上昇に伴って第１の扉体が上昇する。図８（ｃ）に示すように、ストッパレバー部３２がコイルばね３４により第２の扉体９側へ付勢されているので、第１の扉体６の下端部が枠体底部３から離れると、突出部３６が第１の扉体６の下端部から下方へ突出すると共に、ストッパレバー部３２の凹状部３３が凸状部３１に嵌合し、第１の扉体６と第２の扉体９を連結する。
また、第１の扉体６を上昇させた位置から第１の扉体６を最下部まで下降させると、第１の扉体６の下端部に突出した突出部３６が枠体底部３に当接し押し込まれて納置され、これに連動してレバー連設部３５及びストッパレバー部３２が回動し、凸状部３１に嵌合していた凹状部３３が凸状部３１から離れる方向へ移動し、嵌合していた凹状部３３が凸状部３１から外れる。
【００２３】
以上のように本実施の形態２における水位調整水門３０は構成されているので、実施の形態１の作用に加え、以下のような作用を有する。
（１）第１の扉体６の昇降時において、第１の扉体６の下端部が枠体底部３から離れるとストッパレバー部３２の凹状部３３が第２の扉体９の凸状部３１に嵌合するため、第１の扉体６は第２の扉体９に強固に固定される。これにより、第１の扉体６と第２の扉体９を一体的に昇降させることができ、例えば第１の扉体６が昇降溝部２６ａ，２６ｂにつまったゴミ等により下降途中で引っ掛かって第２の扉体９のみが下降することがなく確実に開閉動作を行うことができ、また、ゴミ等によるつまりがなくなって第１の扉体６が急に落下したりすることがないため安全性に優れる。
【００２４】
【発明の効果】
以上のように、本発明によれば、以下のような有利な効果が得られる。
請求項１に記載の発明によれば、
（１）昇降機構部により第２の扉体を下降させることにより、用水路の水位調整水門の上流側の水が下降した第２の扉体の上端部から越流し下流側へ流れ込むので、上流側の水位を第２の扉体の上端部の高さに調整することができ、水田の水位を用水路と同じレベルに調整することができる水位調整水門を提供することができる。
（２）昇降機構部により第２の扉体を上昇させると共に、第２の扉体の上端部に第１の扉体の上端部に固定され切り欠き開口部の上端部に水平方向に向き合って突設された係合部が係合して、第２の扉体と共に第１の扉体を上昇させることができ、用水路を大きく開放することができ、増水時であっても水が滞ることなく流れる安全性に優れた水位調整水門を提供することができる。
（３）第２の扉体の昇降させることにより連動して第１の扉体を昇降させることができるので、昇降のために１の昇降機構部を用いるだけでよく生産性及び操作性に優れた水位調整水門を提供することができる。
（４）切り欠き開口部の大きさを適宜設定すると共に第２の扉体の上端部の高さを可変させることにより、用水路の上流側から下流側へ切り欠き開口部の第２の扉体の上端部から越流する用水の流量を調整することができる水位調整水門を提供することができる。
（５）第１の扉体の上端部に用水路の幅より幅の小さい切り欠き開口部が形成され、切り欠き開口部から上流側の水が下流側へ越流するため、少ない流量において流量を正確に且つ微調整することができる流量調整の正確性に優れ且つ流量の微調整可能な水位調整水門を提供することができる。
（６）摺動溝部を形成する摺動溝形成部が第１の扉体の用水路の上流側の面に沿って配設されているので、第２の扉体が摺動溝部に遊嵌され第１の扉体の用水路の上流側の面に配設され、上流側から下流側への水の流れ又は水圧により第２の扉体を第１の扉体に圧接させることができ、第２の扉体と第１の扉体との間隙を水密にすることができる水密性に優れた水位調整水門を提供することができる。
【００２５】
請求項２に記載の発明によれば、請求項１の効果に加え、
（１）係止部を被係止部に係止することにより、第１の扉体は第２の扉体に強固に固定されるため、第１の扉体を上昇又は下降させる際に、第１の扉体と第２の扉体を一体的に上昇又は下降させることができ、例えば第１の扉体が昇降溝部につまったゴミ等により下降途中で引っ掛かって第２の扉体のみが下降することがなく確実に開閉動作を行うことができ、また、ゴミ等によるつまりがなくなって第１の扉体が急に落下したりすることがなく安全性に優れた水位調整水門を提供することができる。
（２）第１の扉体を最下部まで下降させると、係止部が被係止部から外れるようにした場合は、第１の扉体を最下部まで下降させた状態、即ち用水路を閉止した状態で、第２の扉体のみを下降又は上昇させ切り欠き開口部を開閉することができる使用性に優れた水位調整水門を提供することができる。
【００２６】
請求項３に記載の発明によれば、請求項１又は２の効果に加え、
（１）摺動溝形成部の下端部側の第１の扉体の上流側の面に下部ストッパ部が突設されているので、第２の扉体が第１の扉体の用水路の上流側の面に沿って下降し切り欠き開口部を開放した状態で第２の扉体の下端部が下部ストッパ部に当接し、第２の扉体がそれ以上下方へ下降することを防ぐことができる操作性及び使用性に優れた水位調整水門を提供することができる。
【００２７】
請求項４に記載の発明によれば、請求項１乃至３の内いずれか１項の効果に加え、
（１）第２の扉体が第１の扉体の用水路の上流側の面に配設されると共に、第２の扉体の第１の扉体側の下端部及び両端部に水密圧接部が配設されているので、上流側から下流側への用水の流れにより第２の扉体を第１の扉体に圧接させ、水密圧接部を第１の扉体に圧接させることができ、第２の扉体と第１の扉体との間隙を確実に水密にすることができる水密性に優れた水位調整水門を提供することができる。
【図面の簡単な説明】
【図１】実施の形態１における水位調整水門の要部正面図
【図２】図１のＡ−Ａ線の要部矢視断面図
【図３】図１のＢ−Ｂ線の要部矢視断面図
【図４】（ａ）実施の形態１における水位調整水門の第２の扉体を下降させる途中の状態を示す要部正面図
（ｂ）実施の形態１における水位調整水門の第２の扉体を下降させる途中の状態を示す要部断面図
【図５】（ａ）実施の形態１における水位調整水門の第２の扉体を最下位置まで下降させた状態を示す要部正面図
（ｂ）実施の形態１における水位調整水門の第２の扉体を最下位置まで下降させた状態を示す要部断面図
【図６】実施の形態１における水位調整水門の使用状態を示す使用状態図
【図７】第１の扉体を上昇させ用水路を全開した状態を示す要部正面図
【図８】（ａ）第１の扉体を最下部まで下降させた状態で第２の扉体が最上位置と最下位置の中間位置にある状態を示す概略側面図
（ｂ）第１の扉体を最下部まで下降させた状態で第２の扉体が最上位置にある状態を示す概略側面図
（ｃ）第１の扉体を第２の扉体と共に上昇させた状態を示す概略側面図
【符号の説明】
１  水位調整水門
２  枠体
３  枠体底部
４ａ，４ｂ  枠体側部
５  枠体上部
６  第１の扉体
６ａ  上流側面
７  切り欠き開口部
８ａ，８ｂ  摺動溝形成部
９  第２の扉体
１０ａ，１０ｂ  係合部
１１  下部ストッパ部
１２ａ，１２ｂ  側部水密部
１３ａ，１３ｂ  側部押さえ板
１４  底部押さえ板
１５  係合受け部
１６  昇降接続部
１７  扉体接続部
１８  昇降機構部
１９  ハンドル部
２０，２１  スプロケット
２２  チェーン
２３  底部水密部
２４，２８  水密圧接部
２４ａ，２８ａ  押さえ板
２４ｂ，２８ｂ  孔
２５  ピニオン
２６ａ，２６ｂ  昇降溝部
２７ａ，２７ｂ  摺動溝部
３０  水位調整水門
３０ａ  扉体固定機構部
３１  凸状部（被係止部）
３２  ストッパレバー部
３３  凹状部（係止部）
３４  コイルばね（弾性部）
３５  レバー連設部
３６  突出部
Ｘ  用水路
Ｙ  暗渠
Ｚ  水田
【図１】
2004353407.tif 000003
【図２】
2004353407.tif 000004
【図３】
2004353407.tif 000005
【図４】
2004353407.tif 000006
【図５】
2004353407.tif 000007
【図６】
2004353407.tif 000008
【図７】
2004353407.tif 000009
【図８】
2004353407.tif 000010